(57)【要約】【課題】常に安定してロール紙をシート状に繰り出して供給することが可能なロール紙供給装置及びそれを備えた印刷装置を提供する。【解決手段】ロール紙供給装置３９は、ロール紙１１をその回転軸が横向きになる向きで転動可能に収容するロール紙収容部１２と、ロール紙収容部１２に収容されたロール紙１１をシート状に繰り出す繰り出しローラー３４と、ロール紙１１の側面の略全体を覆うとともに側面の一部と接触する側圧板４２，４３と、を備える。【選択図】図５
2011143983.tif 000002
【特許請求の範囲】
【請求項１】
ロール紙をその回転軸が横向きになる向きで転動可能に収容するロール紙収容部と、
前記ロール紙収容部に収容されたロール紙をシート状に繰り出す繰り出しローラーと、
ロール紙の少なくとも一方の側面の略全体を覆うとともに前記ロール紙の側面の一部と接触する側圧板と、を備えているロール紙供給装置。
【請求項２】
請求項１に記載のロール紙供給装置であって、
前記側圧板は、前記側面に接触する面が傾斜しているロール紙供給装置。
【請求項３】
請求項２に記載のロール紙供給装置であって、
前記側圧板は、前記繰り出しローラーに向けて前記側面に接近するように傾斜しているロール紙供給装置。
【請求項４】
請求項２に記載のロール紙供給装置であって、
前記側圧板は、前記繰り出しローラーの側かつ下方向に向けて前記側面に接近するように傾斜しているロール紙供給装置。
【請求項５】
請求項１から４の何れか一項に記載のロール紙供給装置であって、
前記繰り出しローラーの下流側に設けられロール紙を挟持して搬送するメイン送りローラーと、
前記繰り出しローラーから前記メイン送りローラーまでの搬送路に設けられ前記メイン送りローラーに対するロール紙の張力を一定に保つように支持されたテンション機構と、
前記メイン送りローラーの下流側に設けられロール紙を挟持して搬送するサブ送りローラーと、を備えているロール紙供給装置。
【請求項６】
請求項１から５の何れか一項に記載のロール紙供給装置と、
繰り出されたロール紙に印刷を行う印刷ヘッドと、を備えている印刷装置。
【発明の詳細な説明】
【技術分野】
【０００１】
本発明は、ロール紙を繰り出して供給するロール紙供給装置及びそれを備えた印刷装置に関する。
【背景技術】
【０００２】
例えば、ＰＯＳ（Ｐｏｉｎｔ−Ｏｆ−Ｓａｌｅ）システムなどでは、ロール状の記録紙に印刷を施すレシートプリンター等のプリンターが用いられている。
このようなプリンターとしては、ロール紙収納部に収納されたロール紙の中心軸線方向に沿って見た場合に、ロール紙収納部に収納されたロール紙の重心を通る垂線（Ｖ）の一方の側の位置（Ｄ）から記録紙が引き出され、他方の側に繰り出しローラーが位置し、垂線（Ｖ）と記録紙の引き出し位置（Ｄ）の間に、付勢部材の付勢面が位置するように構成されているロール紙供給機構を備えたものがある（例えば、特許文献１参照）。
【０００３】
そして、このロール紙供給機構では、付勢面を中心として、記録紙の引き出し力、ロール紙の自重、繰り出しローラーの繰り出し力により、ロール紙の浮き上がりを防止する方向のモーメントが作用し、ロール紙が繰り出しローラーに接触した状態に保持される。
【先行技術文献】
【特許文献】
【０００４】
【特許文献１】特開２００９−１０２１２９号公報
【発明の概要】
【発明が解決しようとする課題】
【０００５】
ところが、上記のようなロール紙を投入する構造の場合、外径の小さくなったロール紙は付勢面に沿って公転を始め、この付勢面から外れて安定して側圧がかからなくなることがある。このような場合、ロール紙の繰り出しに伴ってロール紙収納部内のロール紙があばれてしまい、ロール紙が円滑に供給されなくなり、スキューが生じるおそれがある。
【０００６】
本発明の目的は、常に安定してロール紙をシート状に繰り出して供給することが可能なロール紙供給装置及びそれを備えた印刷装置を提供することにある。
【課題を解決するための手段】
【０００７】
上記課題を解決することのできる本発明に係るロール紙供給装置は、ロール紙をその回転軸が横向きになる向きで転動可能に収容するロール紙収容部と、
前記ロール紙収容部に収容されたロール紙をシート状に繰り出す繰り出しローラーと、
ロール紙の少なくとも一方の側面の略全体を覆うとともに前記ロール紙の側面の一部と接触する側圧板と、を備えている。
【０００８】
この構成によれば、ロール紙が繰り出しローラーによってシート状に繰り出されると、繰り出されるロール紙の張力によってロール紙が繰り出しローラー側へ引き寄せられる。このとき、ロール紙は、その一方の側面の一部が側圧板に接触し、その接触箇所で安定して保持された状態に維持される。
これにより、外径の大小に関わらず、ロール紙収容部におけるロール紙のがたつきを防止することができ、ロール紙を円滑に繰り出して供給することができる。
【０００９】
また、本発明のロール紙供給装置において、前記側圧板は、前記側面に接触する面が傾斜していることが好ましい。
【００１０】
この構成によれば、ロール紙の側面に接触する面が傾斜した側圧板を有するので、ロール紙の側面の一部に側圧板を接触させ、ロール紙と側圧板との接触箇所を一定の位置に安定して保持した状態に維持することができる。
【００１１】
また、本発明のロール紙供給装置において、前記側圧板は、前記繰り出しローラーに向けて前記側面に接近するように傾斜していることが好ましい。
【００１２】
この構成によれば、側圧板が繰り出しローラーに向けてロール紙の側面に接近するように傾斜しているので、繰り出しローラーの近くでロール紙の側面の一部が側圧板に接触する。これにより、ロール紙を繰り出しローラーの近くの側圧板との接触箇所で安定して保持された状態に維持することができる。
【００１３】
また、本発明のロール紙供給装置において、前記側圧板は、前記繰り出しローラーの側かつ下方向に向けて前記側面に接近するように傾斜していることが好ましい。
【００１４】
この構成によれば、側圧板が繰り出しローラーの側かつ下方向に向けてロール紙の側面に接近するように傾斜しているので、繰り出しローラーの側の下方でロール紙の側面の一部が側圧板に接触する。これにより、ロール紙を繰り出しローラーの側の下方の側圧板との接触箇所で安定して保持された状態に維持することができる。
特に、ロール紙の上下動をなくすことができ、上方に移動したロール紙がロール紙収容部内で落下することによって生じる音の発生をなくすことができる。
【００１５】
また、本発明のロール紙供給装置において、前記繰り出しローラーの下流側に設けられロール紙を挟持して搬送するメイン送りローラーと、
前記繰り出しローラーから前記メイン送りローラーまでの搬送路に設けられ前記メイン送りローラーに対するロール紙の張力を一定に保つように支持されたテンション機構と、
前記メイン送りローラーの下流側に設けられロール紙を挟持して搬送するサブ送りローラーと、を備えていることが好ましい。
【００１６】
この構成によれば、ロール紙収容部内のロール紙が上下左右にがたつきなく保持されているため、スキューのない給紙を実現することができ、しかも、繰り出しローラーからメイン送りローラーまでの搬送路にメイン送りローラーに対するロール紙の張力を一定に保つように支持されたテンション機構を備えることにより、高速紙送り、紙送りピッチ精度の向上を図れ、メイン送りローラーの下流側にロール紙を挟持して搬送するサブ送りローラーを備えているので、メイン送りローラーとサブ送りローラーとの間での紙浮き防止及び高い紙ジャム耐性の確保を図ることができる。
【００１７】
また、本発明の印刷装置は、上記の何れかのロール紙供給装置と、
繰り出されたロール紙に印刷を行う印刷ヘッドと、を備えている。
【００１８】
この構成によれば、常に安定してロール紙をシート状に繰り出して供給することが可能なロール紙供給装置を備えているので、印刷の用紙前後位置を安定させて高精度な頭出しができ、高品質な印刷が可能である。
【図面の簡単な説明】
【００１９】
【図１】本発明に係るロール紙供給装置を備えたインクジェットプリンターの外観斜視図である。
【図２】インクジェットプリンターからプリンターケースを取り外した状態の側面図である。
【図３】ロール紙カバーを開いた状態のインクジェットプリンターの側断面図である。
【図４】搬送機構の概略構成を説明する搬送機構の概略側面図である。
【図５】ロール紙供給装置の構成を説明する斜視図である。
【図６】ロール紙収容部におけるロール紙の状態を説明するロール紙供給装置の概略断面図である。
【図７】ロール紙収容部におけるロール紙の状態を説明するロール紙供給装置の概略側面図である。
【発明を実施するための形態】
【００２０】
以下、本発明に係るロール紙供給装置及びそれを備えた印刷装置の実施形態の例を、図面を参照しつつ説明する。
【００２１】
図１に示すように、インクジェットプリンター１は、複数種のカラーインクを使用してロール紙の繰り出された一部にカラー印刷するものであり、プリンター本体を覆うプリンターケース２の前面中央には、ロール紙カバー（開閉カバー）３が開閉自在に設けられている。ロール紙カバー３の横にはインクカートリッジ挿入口８が設けられ、その内側にインクカートリッジ４が挿入されて収容されている。更に、プリンターケース２の前面には、電源スイッチ５と共にフィードスイッチ６やインジケーター７等も配置されている。
【００２２】
図２に示すように、印刷される媒体であるロール紙１１は、ロール紙収容部１２に収容されており、ロール紙カバー３を開くと、ロール紙１１を収容したロール紙収容部１２が開放され、ロール紙１１の交換が可能になる。
【００２３】
ロール紙カバー３はその下端を中心に手前側に回動可能である。ロール紙カバー３の上部には手前側に印刷後のロール紙が排出される排紙部９が設けられ、排紙部９の手前側先端には手前側に摺動可能な開閉スライダ１０が設けられる。
【００２４】
図３に示すように、開閉スライダ１０に指をかけて前方に引くと、開閉スライダ１０が前方に移動してロックが解除される。この状態で、さらに開閉スライダ１０を手前に引くと、ロール紙カバー３が下端を中心に回動して開き、ロール紙カバー３の奥に設けられたロール紙収容部１２が露出され、ロール紙収容部１２にロール紙を投入できるように構成されている。
【００２５】
図４に示すように、ロール紙収容部１２の後方上部には、ロール紙収容部１２に収容されたロール紙１１をシート状に繰り出す繰り出しローラー３４が設けられている。そして、ロール紙収容部１２及び繰り出しローラー３４から、ロール紙１１をシート状に繰り出して供給するロール紙供給装置３９が構成されている。
【００２６】
この繰り出しローラー３４の下流側には、ロール紙１１を挟持して搬送するメイン送りローラー３６が設けられている。また、繰り出しローラー３４からメイン送りローラー３６までの搬送路には、メイン送りローラー３６に対するロール紙１１の張力を一定に保つように、付勢部材（図示省略）によって装置後方へ付勢されたテンションローラー（テンション機構）３５が設けられている。
【００２７】
さらに、メイン送りローラー３６の下流側には、ロール紙１１を挟持して搬送するフロント送りローラー（サブ送りローラー）３７が設けられ、メイン送りローラー３６とフロント送りローラー３７との間には、プラテン２６が設けられている。また、排紙部９には、印刷されたロール紙１１を切断するカッター３８が設けられている。
【００２８】
ロール紙１１は、ロール紙収容部１２から引き出され、繰り出しローラー３４、テンションローラー３５、メイン送りローラー３６、プラテン２６、フロント送りローラー３７を経て、排紙部９から排出される。これらの搬送ローラーは、歯車またはベルトプーリー機構といった伝達機構を介して繰り出しモーターまたは紙送りモーター３１により駆動される。
【００２９】
繰り出しローラー３４は、ロール紙収容部１２に収容されたロール紙１１をシート状に引き出して紙送り力を発生させている。メイン送りローラー３６は、高精度に回転制御されるもので、ロール紙１１を高精度な紙送りピッチで搬送させている。テンションローラー３５は、メイン送りローラー３６にかかる負荷を一定に保つことで紙送り精度を安定させ、かつロール紙１１の弛みを一定量保持することで高速送りを実現させている。
【００３０】
さらに、フロント送りローラー３７は、一対の円筒状のローラーからなるもので、シート状のロール紙１１を十分な挟持力によって挟持しながら排紙部９へ送り出す。これにより、例えば、排紙部９に印刷されて排紙されたロール紙１１を引き切った際にも、プラテン２６上での紙浮きが防止され、その後も紙浮きによるジャム障害なく良好に印刷が行われる。
【００３１】
プリンターケース２内のロール紙収容部１２の上方には、インクジェットヘッド（印刷ヘッド）２１を搭載したキャリッジ２２が設けられている。キャリッジ２２は、ロール紙１１の幅方向に沿って延在するガイド部材２３によって用紙幅方向に移動自在に支持されると共に、ロール紙１１の幅方向に延在する無端ベルト（図示省略）と無端ベルトを駆動するキャリッジモーター２５とによって、プラテン２６の上方をロール紙１１の幅方向に往復移動可能になっている。キャリッジ２２には、インクカートリッジにつながる可撓性を有するインクチューブ２７が接続されており、このインクチューブ２７を介してインクカートリッジ４からキャリッジ２２のインクジェットヘッド２１へインクが供給される。
【００３２】
インクジェットプリンター１の幅方向の一方側は、往復移動するキャリッジ２２の待機位置（ホームポジション）となっている。この待機位置の下方には、キャリッジ２２の下面に露出するインクジェットヘッド２１の各インクノズル内のインクを吸引するインク吸引機構（図示省略）が設けられている。
【００３３】
そして、上記のインクジェットプリンター１では、往復移動するキャリッジ２２のインクジェットヘッド２１からロール紙１１の繰り出された一部に対してインクを吐出して印刷処理を行う。
【００３４】
次に、ロール紙供給装置３９の構造について説明する。
図５及び図６に示すように、ロール紙供給装置３９は、前述のロール紙収容部１２を備えている。ロール紙収容部１２は、樹脂製のロール紙ホルダー４０を有している。このロール紙ホルダー４０は、側面視円弧状に形成された底板４１と、この底板４１の一側部に一体的に形成された側圧板４２とを有しており、底板４１にロール紙１１が載置される。これによりロール紙１１は、その回転軸が横向きになる向きで転動可能にロール紙収容部１２に収容される。
【００３５】
また、ロール紙収容部１２は、ロール紙ホルダー４０の側部における側圧板４２との対向位置に、インクジェットプリンター１のフレーム側に固定された側圧板４３を備えている。これにより、底板４１上に載置されたロール紙１１は、側圧板４３とロール紙ホルダー４０の側圧板４２との間に配置され、一側面の全体が側圧板４２によって覆われ、他側面の全体が側圧板４３によって覆われる。そして、これらの側圧板４２及び側圧板４３がロール紙１１の側面に接触される。
【００３６】
図６に示すように、側圧板４２，４３は、ロール紙収容部１２に収容されたロール紙１１の側面に対して傾斜している。具体的には、側圧板４２，４３は、ロール紙収容部１２におけるインクジェットプリンター１の後方上部に設けられた繰り出しローラー３４に向けてロール紙１１の側面に接近するように傾斜している。なお、側圧板４２，４３の傾斜寸法は、寸法公差や撓み以上とされている。
【００３７】
また、ロール紙ホルダー４０には、底板４１の両側部からインクジェットプリンター１の前方側へ延在する連結板部４４，４５が形成されている。このロール紙ホルダー４０におけるインクジェットプリンター１の前方側には、支持ブラケット５１が設けられている。この支持ブラケット５１は、インクジェットプリンター１の底板に固定される固定板部５２の両側部に、支持板部５３，５４が立設されたもので、これらの支持板部５３，５４には、支持軸５５が架け渡されている。
【００３８】
支持軸５５によってロール紙ホルダー４０の連結板部４４，４５が支持されており、これにより、ロール紙ホルダー４０は、支持軸５５による支持箇所を中心として回動可能とされている。このロール紙ホルダー４０は、開閉スライダ１０を手前に引いてロール紙カバー３を開くことにより、ロール紙カバー３とともにインクジェットプリンター１の前方側へ回動し、ロール紙収容部１２が露出されるようになっている。
【００３９】
ロール紙ホルダー４０は、側圧板４２の外側に設けられた圧縮バネ６１によって付勢されており、これにより、側圧板４２側の連結板部４４が支持ブラケット５１の支持板部５３に当接されている。
【００４０】
また、ロール紙ホルダー４０の側圧板４２側の連結板部４４には、支持ブラケット５１側へ突出する側圧解除カム部６２が形成されている。この側圧解除カム部６２は、支持軸５５を中心とした円弧上に形成されている。この側圧解除カム部６２には、一端側にテーパ部６３が形成されている。このテーパ部６３は、端部側から次第に突出寸法が大きくされている。この側圧解除カム部６２のテーパ部６３以外の部分は、突出寸法が同一とされている。
【００４１】
このような側圧解除カム部６２を有するロール紙ホルダー４０は、ロール紙カバー３を開くことにより、支持軸５５を中心としてインクジェットプリンター１の前方側へ回動されると、側圧解除カム部６２のテーパ部６３が支持ブラケット５１の支持板部５３に当接し、このテーパ部６３によって圧縮バネ６１の付勢力に抗して次第に変位する。これにより、ロール紙ホルダー４０の側圧板４２が側圧板４３に対して次第に離間する。
【００４２】
その後、側圧解除カム部６２の支持板部５３との接触箇所がテーパ部６３を超えると、ロール紙ホルダー４０は、側圧板４２に対して側圧板４２が離間した状態を保持しながら回動される。このように、ロール紙カバー３を開くと、側圧板４３に対して側圧板４２が離間するので、ロール紙収容部１２へのロール紙１１の取り出し及び投入を容易にかつ円滑に行うことができる。
【００４３】
また、ロール紙ホルダー４０は、ロール紙カバー３を閉じることにより、支持軸５５を中心としてインクジェットプリンター１の後方側へ回動され、側圧解除カム部６２の支持板部５３との当接箇所がテーパ部６３に到達すると、圧縮バネ６１によって付勢されているロール紙ホルダー４０は、テーパ部６３の傾斜に沿って変位する。これにより、ロール紙ホルダー４０の側圧板４２が側圧板４３に対して次第に近接する。
【００４４】
その後、側圧解除カム部６２が支持板部５３から外れると、ロール紙ホルダー４０は、側圧板４２に対して側圧板４２が近接した状態となる。このように、ロール紙カバー３を閉じると、側圧板４３に対して側圧板４２が近接するので、ロール紙収容部１２へ投入したロール紙１１が容易にかつ円滑に保持される。
【００４５】
ここで、図７に示すように、ロール紙１１が繰り出しローラー３４によってシート状に繰り出されると、繰り出されるロール紙１１の張力によってロール紙１１が繰り出しローラー３４側へ引き寄せられる。このとき、側圧板４２，４３が繰り出しローラー３４に向けてロール紙１１の側面に接近するように傾斜されているので、ロール紙１１は、両側面が、繰り出しローラー３４側で側圧板４２，４３に接触することとなり、ロール紙１１は、繰り出しローラー３４に近い位置で安定して保持された状態に維持される。
【００４６】
ロール紙１１は、印刷にともなって引き出されることにより、次第に小径となるが、小径となっても、繰り出しローラー３４に近い位置で安定して保持された状態に維持される。
【００４７】
また、ロール紙収容部１２へ小径のロール紙１１を投入してロール紙ホルダー４０の底板４１上に載置させた場合、このロール紙１１は、印刷に伴って繰り出しローラー３４によってシート状に繰り出されると、繰り出しローラー３４側へ引き上げられ、その両側面が側圧板４２，４３の繰り出しローラー３４側で接触する。これにより、その後、ロール紙１１は、印刷にともなって引き出されて、さらに小径となっても、繰り出しローラー３４に近い位置で安定して保持された状態に維持される。
【００４８】
このように、ロール紙１１を上下左右にがたつきなく保持することが可能なロール紙収容部１２と、このロール紙収容部１２に収納されたロール紙１１を搬送する繰り出しローラー３４、テンションローラー３５、メイン送りローラー３６及びフロント送りローラー３７からなる搬送機構とを備えたインクジェットプリンター１によれば、スキューのない給紙を実現することができ、高速紙送り、紙送りピッチ精度の向上、プラテン２６上での紙浮き防止及び高い紙ジャム耐性の確保を図ることができる。
【００４９】
このように、上記実施形態に係るロール紙供給装置３９によれば、ロール紙１１が繰り出しローラー３４によってシート状に繰り出されると、ロール紙１１の両側面の一部が側圧板４２，４３に接触し、その接触箇所で安定して保持された状態に維持されるので、外径の大小に関わらず、ロール紙収容部１２におけるロール紙１１のがたつきを防止することができ、ロール紙１１を円滑に繰り出して供給することができる。
【００５０】
そして、上記実施形態のインクジェットプリンター１によれば、常に安定してロール紙１１をシート状に繰り出して供給することが可能なロール紙供給装置を備えているので、印刷の用紙前後位置を安定させて高精度な頭出しができ、高品質な印刷が可能である。
【００５１】
なお、上記実施形態では、側圧板４２，４３を、ロール紙収容部１２におけるインクジェットプリンター１の後方上部に設けられた繰り出しローラー３４に向けてロール紙１１の側面に接近するように傾斜させたが、側圧板４２，４３を、繰り出しローラー３４側かつ下方向に向けてロール紙１１の側面に接近するように傾斜させても良い。
【００５２】
このようにすると、シート状にロール紙１１が繰り出される際にもロール紙１１をロール紙収容部１２内における下方側に保持させることができる。これにより、ロール紙１１の上下動をなくすことができ、上方に移動したロール紙１１がロール紙収容部１２内で落下することによって生じる音の発生をなくすことができる。
【００５３】
また、上記実施形態では、側圧板４２，４３の両方を傾斜させたが、何れか一方を傾斜させれば良い。例えば、側圧板４２だけをロール紙１１の側面に対して傾斜させても良い。
【００５４】
前述の実施の形態では、被印刷体である媒体としては、フィルム、布、金属薄板等を用いてもよい。
【００５５】
前述の実施形態に係るインクジェットプリンターに、コンピューター本体、ＣＲＴ等の表示装置、入力装置、フレキシブルディスクドライブ装置、及びＣＤ−ＲＯＭドライブ装置がそれぞれ有する機能又は機構の一部を持たせてもよい。例えば、プリンターが、画像処理を行う画像処理部、各種の表示を行う表示部、及び、デジタルカメラ等により撮影された画像データーを記録した記録メディアを着脱するための記録メディア着脱部を有する構成としてもよい。
【００５６】
本実施形態に係るプリンター、コンピューター本体、ＣＲＴ等の表示装置、マウスやキーボード等の入力装置、フレキシブルドライブ装置、及びＣＤ−ＲＯＭドライブ装置を備えたコンピューターシステムとすれば、システム全体として従来システムよりも優れたシステムとなる。
【００５７】
上記各実施の形態では、印刷装置としてカラーインクジェットプリンターを用いたが、ロール紙に対して印刷処理できる印刷装置であれば、これに限られることなく、例えば、モノクロインクジェットプリンター、レーザプリンター、サーマルプリンター、ファクシミリ等に適用しても良い。
【符号の説明】
【００５８】
１…インクジェットプリンター（印刷装置）、１１…ロール紙、１２…ロール紙収容部、２１…インクジェットヘッド（印刷ヘッド）、３４…繰り出しローラー、３５…テンションローラー（テンション機構）、３６…メイン送りローラー、３７…フロント送りローラー（サブ送りローラー）、３９…ロール紙供給装置、４２，４３…側圧板
【図１】
2011143983.tif 000003
【図２】
2011143983.tif 000004
【図３】
2011143983.tif 000005
【図４】
2011143983.tif 000006
【図５】
2011143983.tif 000007
【図６】
2011143983.tif 000008
【図７】
2011143983.tif 000009